(57)【要約】【課題】本発明は、判子を形成することができ、コストが重視される景品やおまけ等に相応しいシール、及びシール付きボトル容器を提供することを課題とする。【解決手段】本発明にかかるシールは、シート体の一方の面に被貼着体に貼付可能な粘着層が形成されるとともに、他方の面に所定の図柄が印刷されてなり、該所定の図柄が隆起して判を形成してなることを特徴とする。【選択図】          図１
2004231204.tif 000002
【特許請求の範囲】
【請求項１】
シート体の一方の面に被貼着体に貼付可能な粘着層が形成されるとともに、他方の面に所定の図柄が印刷されてなり、該所定の図柄が隆起して判を形成してなることを特徴とするシール。
【請求項２】
シート体の一方の面に被貼着体に貼付可能な粘着層が形成されるとともに、他方の面に所定の図柄が発泡可能なインキにより印刷されてなり、該インキを発泡させることで所定の図柄が判になるように構成されたことを特徴とするシール。
【請求項３】
請求項１又は２記載のシールを、ボトル本体の口部にキャップが着脱可能に取り付けられたボトル容器に付帯させたことを特徴とするシール付きボトル容器。
【請求項４】
キャップは、ボトルの口部に螺合される筒状部と、該筒状部の一端開口を閉塞する平面状の天部とで構成され、シート体はキャップの天部の形状に対応して形状設定されてなる請求項３記載のシール付きボトル容器。
【発明の詳細な説明】
【０００１】
【発明の属する技術分野】
本発明は、シート体の一方の面に粘着層を備えたシール、及びボトル本体の口部にキャップが取り付けられたボトル容器に対してシールを付帯させたシール付きボトル容器に関する。
【０００２】
【従来の技術】
従来から、所定の図柄（文字や絵柄）が隆起して判を形成した判子が周知である。
【０００３】
かかる判子は、種々タイプのものが提供されており、例えば、樹脂を金型に流し込んで判子基材を形成すると同時にその判子基材の端面に判を形成したものや、金型にゴム等の樹脂を流し込むことで判を有する判子部材を形成し、その判子部材を把持可能な判子基材の端面に貼着したもの（いわゆる、ゴム判）等がある。
【０００４】
【発明が解決しようとする課題】
ところで、判子には、キャラクター等の判を備えたものがあり、このような判子は、景品や商品のおまけ等に採用される場合がある。したがって、このような判子は、低コストであることが要求される。
【０００５】
しかしながら、上述の如く、金型に樹脂等を流し込んで形成される判子は、金型作成等により製造コストが高くなってしまい、景品やおまけとして採用するのにコスト的な問題があった。
【０００６】
そこで、本発明は、斯かる実情に鑑み、判子を形成することができ、コストが重視される景品やおまけ等に相応しいシール、及びシール付きボトル容器を提供することを課題とする。
【０００７】
【課題を解決するための手段】
本発明にかかるシールは、シート体の一方の面に被貼着体に貼付可能な粘着層が形成されるとともに、他方の面に所定の図柄が印刷されてなり、該所定の図柄が隆起して判を形成してなることを特徴とする。なお、「所定の図柄」とは、キャラクター等の絵柄や文字等を含む概念であり、「所定の図柄が隆起」とは、所定の図柄がシート体の他方の面に対して盛り上がった状態をいう。
【０００８】
かかるシールによれば、判子の判となる所定の図柄が印刷により形成されるので、当該シールを大量に効率よく製造することができ、これにより当該シールを低コストのものにすることができる。
【０００９】
また、かかるシールは、一方の面に形成された粘着層を介して被貼着体に貼着することで、該被貼着体を把持部とした判子が形成されるように構成されているので、判子の把持部にかかる材料等の製造コストを抑えることができる。
【００１０】
したがって、上記構成のシールは、判子を形成することのできるシールとしてコスト面の重視される安価な玩具や、景品、おまけ等に採用するのに相応しいものである。
【００１１】
また、本発明にかかるシールは、シート体の一方の面に被貼着体に貼付可能な粘着層が形成されるとともに、他方の面に所定の図柄が発泡可能なインキにより印刷されてなり、該インキを発泡させることで所定の図柄が判になるように構成されたことを特徴とする。
【００１２】
上記構成のシールによれば、所定の図柄が発泡可能なインキにより形成されているので、印刷を行いつつインキを発泡させたり、印刷後に加熱等によりインキを発泡させたりすることにより、所定の図柄が隆起して判を形成することができる。したがって、所定の図柄が印刷により形成されれば、所定の図柄の判を備えた、或いは判にすることのできる所定の図柄を備えたシールを大量に効率よく製造することができるので、当該シールを低コストのものにすることができる。なお、印刷後の発泡とは、シールが市場に流通した後に、消費者がインキを発泡させることを含む概念である。
【００１３】
また、かかるシールにおいても、一方の面に形成された粘着層を介して被貼着体に貼着することで、該被貼着体を把持部とした判子が形成されるように構成されているので、判子の把持部にかかる材料等の製造コストを抑えることができる。したがって、上記構成のシールは、コスト面の重視される安価な玩具や、景品、おまけ等に採用するのに相応しいものである。
【００１４】
また、本発明にかかるシール付きボトル容器は、請求項１又は２記載のシールを、ボトル本体の口部にキャップが着脱可能に取り付けられたボトル容器に付帯させたことを特徴とする。
【００１５】
かかるシール付きボトル容器によれば、上記構成のシールをボトル容器に付帯させているので、ボトル本体、或いは該ボトル本体から取り外されたキャップを被貼着体とすれば、被貼着体を別途用意することなく、把持部を備えた判子を形成することができる。
【００１６】
また、キャップは、ボトルの口部に螺合される筒状部と、該筒状部の一端開口を閉塞する平面状の天部とで構成され、シート体はキャップの天部の形状に対応して形状設定されれば、シールをキャップの天部の外面に貼着することを促すことができ、キャップの筒状部を把持部とした判子を形成することができる。
【００１７】
特に、ボトル容器がＰＥＴボトルである場合には、ＰＰ（ポリプロピレン）製、又はＰＥ（ポリエチレン）製のキャップがＰＥＴ（ポリエチレンテレフタレート）製のボトル本体から取り外され、そのキャップにシールが貼着され、キャップが判子の把持部として使用されると、材質を異にするキャップとボトル本体とが分離されることとなり、ボトル本体のみを回収することができる。これにより、分別排出を促進させることができ、ＰＥＴボトル（ボトル本体）のリサイクルにも貢献することが可能となる。
【００１８】
【発明の実施の形態】
以下、本発明の第一実施形態にかかるシールについて、添付図面を参照して説明する。本実施形態にかかるシールは、判子を形成するためのものであり、図１に示す如く、シート体１の一方の面に粘着層２が形成されたものである。かかるシール３は、粘着層２の粘着により当該粘着層２の表面に対して剥離可能に剥離紙４が貼着されている。
【００１９】
シート体１は、平面視所定形状（本実施形態においては平面視略矩形状）に形状設定された樹脂製のシートである。該シート体１は、他方の面に所定の図柄５（本実施形態においては簡略化された人の顔）が印刷され、所定の図柄５は、他方の面に対して盛り上がる（隆起する）ように形成されており、このシールで判子を形成した際に、隆起した図柄５が判６になるように構成されている。
【００２０】
具体的には、シート体１は、印刷時において他方の面に対してインキが盛り上がるように塗布される、いわゆる盛り上げ印刷されることにより、前記所定の図柄５が隆起して形成されている。このような盛り上げ印刷は、スクリーン印刷によって形成することが好ましい。
【００２１】
上記構成のシール３で判子を形成するには、剥離紙４を粘着層２から剥がし、図２に示す如く、使用者が所持する把持可能な被貼着体７（例えば、箱、筆記具のキャップ、消しゴム等の身の回りにある物）の平面状をなす外表面に粘着層２を介して貼着することで、判子を形成することとなる。このように形成された判子は、被貼着体７におけるシール３の貼着されていない部分が把持部となる。したがって、使用者が被貼着体７を把持して当該判子を使用すれば、判６にスタンプインキを付着させるときや、判６に付着したスタンプインキを紙等に捺印するときに、使用者の手にスタンプインキが付着するのを防止することができる。つまり、シール３と被貼着体７とで取り扱い易い判子を形成することができる。
【００２２】
以上の如く、上記構成のシール３によれば、判６を印刷により形成するようにしたので、判子を容易に形成することのできるシール３を少ない工程で大量に製造することができ、製造コストを低くすることができる。また、シール３は、使用者の所望するあり合わせの被貼着体７に貼着することで、該被貼着体７を把持部とした判子を形成することできるので、判子の一部を構成する把持部を別途製造する必要がなく、判子を形成する材料コストを低減することができる。
【００２３】
したがって、当該シール３は、コスト面が重視される景品や商品のおまけ等として採用するのに相応しいものとなる。
【００２４】
尚、本発明のシールは、上記実施形態に限定されるものではなく、本発明の要旨を逸脱しない範囲内において種々変更を加え得ることは勿論である。
【００２５】
本実施形態において、シート体１に樹脂製のシートを採用したが、これに限定されるものではなく、例えば、シート体１は紙製のものであっても勿論よい。この場合、スタンプインキの水分を考慮してシート体１にコーティングを施すことが好ましい。
【００２６】
本実施形態において、シート体１を平面視矩形状に形成したが、これに限定されるものではなく、シート体１の形状、大きさは被貼着体７の形状や大きさに対応して適宜設定すればよい。
【００２７】
本実施形態において、隆起した所定の図柄５を形成すべく、シート本体１に盛り上げ印刷を施したが、これに限定されるものではなく、例えば、発泡剤を含有したインキで所定の図柄５を印刷し、そのインキを発泡させて所定の図柄５を隆起させるようにしてもよい。
【００２８】
次に、本発明の第二実施形態にかかるシール付きボトル容器について説明する。かかるシール付きボトル容器は、図３に示す如く、ボトル容器であるＰＥＴボトル１０に対し、主たる構成が上記実施形態と同様のシール３を付帯させたものである。なお、第一実施形態にかかるシールの構成に対して同一、或い相当する構成については、同一符号、及び同一名称を付すこととする。
【００２９】
ＰＥＴボトル１０は、一般的に流通しているものであり、飲料等を充填するＰＥＴ製のボトル本体１２の口部１３に、ＰＥ製或いはＰＰ製のキャップ１４が着脱自在に取り付けられたものである。
【００３０】
キャップ１４は、円筒状をなす筒状部１５と、外面が平面に形成されて筒状部１５の一端開口を閉塞する天部１６とで構成されている。当該キャップ１４の筒状部１５は、ボトル本体１２の口部１３と螺合可能に構成されている。
【００３１】
シール３は、ボトル本体１２の口部１３に掛止可能に構成された袋体１７内に収容されており、そのシール３を収容した袋体１７がボトル本体１２の口部１３に掛止されている。これにより、ＰＥＴボトル１０は、シール３を付帯した形態をなしている。
【００３２】
シール３は、第一実施形態のシール３と同様に、判子を形成するためのものであり、図４に示す如く、シート体１の一方の面に粘着層２が形成されたものであり、粘着層２の表面には、剥離可能な剥離紙４が粘着層２の粘着により貼着されている。
【００３３】
シート体１は、キャップ１４の天部１６における形状、及びサイズに対応して平面視略円形に形状設定された樹脂製のシートである。該シート体１は、他方の面に所定の図柄５（本実施形態においては簡略化された人の顔）が発泡可能なインキにより印刷されている。かかる所定の図柄５（インキ）は、印刷後に加熱されて発泡しており、シート体１の他方の面から隆起した状態をなしている。これにより、所定の図柄５は、第一実施形態と同様に、このシール３で判子を形成した際に、判６になるように構成されている。なお、発泡可能なインキとしては、プラスチゾル系、或いはウレタン系のインキ中に発泡剤を１０乃至２０重量％含有させたものを採用することが好ましい。また、加熱膨張性のマイクロカプセルを含有したもの等も採用することができる。
【００３４】
上記構成のシール３で判子を形成するには、ボトル容器からキャップ１４を取り外すとともに、剥離紙４を粘着層２から剥がし、図５に示す如く、キャップ１４を被貼着体として平面状をなす天部１６の外面に粘着層２を介して当該シール３を貼着することで、キャップ１４の筒状部１５を把持部とした判子が形成される。
【００３５】
したがって、使用者がキャップ１４の筒状部１５を把持して当該判子を使用すれば、判６にスタンプインキを付着させるときや、図６に示す如く、判６に付着させたスタンプインキを紙Ｐ等に捺印するときに、使用者の手にスタンプインキが付着するのを防止することができる。つまり、シール３とキャップ１４とで取り扱い易い判子を容易に形成することができる。
【００３６】
以上のように、上記構成のシール付きボトル容器は、シート体１の他方の面に形成された所定の図柄５が隆起したシール３をボトル容器に付帯させているので、当該ボトル容器からシール３を取り外し、粘着層２を介してシール３をキャップ１４の天部１６に貼着するだけで、シート体１の他方の面を判６とし、キャップ１４を使用者の把持する把持部とした判子を形成することができる。
【００３７】
また、判子の把持部としてのみ機能する部分を製造することなく、主製品の一部であるキャップ１４を判子の把持部として流用し、当該キャップ１４とシール３とで判子を形成できるようにしたので、判子全体を形成する材料のコストを抑えることができる。しかも判子の判６となるシート体１の他方の面に所定の図柄５が印刷により形成されるので、当該シール３を製造するに際して大量生産で効率よく製造することができ、製造コストを抑えることができる。したがって、当該シール３は、低コストのものとなり、コストが重視される景品やおまけ等に採用するのに相応しいものとなる。
【００３８】
さらに、キャップ１４は、ボトル本体１２から取り外されてシール３が貼着されることにより、判子の一部として使用されるので、ＰＥＴボトル１０を廃棄するに際してボトル本体１２のみが廃棄されることとなる。したがって、判子を形成することのできるシール３をボトル容器に付帯させることで、分別排出を促進させることができ、ＰＥＴボトル１０のボトル本体１２（ＰＥＴ）のリサイクルにも貢献することが可能となる。
【００３９】
尚、本発明のシール付きボトル容器は、上記実施形態に限定されるものではなく、本発明の要旨を逸脱しない範囲内において種々変更を加え得ることは勿論である。
【００４０】
本実施形態において、シール３を収容した袋体１７をボトル本体１２の口部１３に掛止することで、当該シール３をボトル容器に付帯させるようにしたが、これに限定されるものではなく、例えば、シール３を袋体１７に収容し、その袋体１７をボトル容器に貼着するようにしてもよい。
【００４１】
本実施形態において、シート体１に発泡可能なインキで所定の図柄５を印刷した後に、製造工程においてそのインキを発泡させて所定の図柄５を隆起させるようにしたが、これに限定されるものではなく、例えば、インキを発泡させつつ該インキをシート体１に付着させて所定の図柄５を印刷するようにしてもよい。また、シート本体１に所定の図柄５を印刷したままの状態のシール１をボトル容器１０に付帯させて流通させ、消費者の手によって所定の図柄５を発泡させるようにしてもよい。
【００４２】
本実施形態において、発泡可能なインキによりシート体１に印刷を施したが、これに限定されるものではなく、第一実施形態と同様に、所定の図柄５を通常にインキにより盛り上げ印刷するようにしても勿論よい。なお、盛り上げ印刷の厚みは、２０μｍ以上が良く、３０μｍ〜１ｍｍ程度が好ましい。
【００４３】
本実施形態において、シール３のシート体１をキャップ１４の天部１６の形状に対応するように形状設定したが、これに限定されるものではなく、例えば、シート体１をキャップ１４の筒状部１５の外周面に巻き付けることのできるように短冊状に形成し、当該シール３をキャップ１４の筒状部１５に貼着するように構成してもよい。このようにすれば、判６を紙などに当接させた状態でキャップ１４を外周方向に転がすことで、連続的な捺印を行うことのできる判子を形成することができる。この場合、キャップ１４の内周面を指などで支持するように当該キャップ１４を持つこととなる。したがって、シール３を貼着する貼着面は平面に限定されるものではない。
【００４４】
本実施形態において、シール３のシート体１をキャップ１４に貼着するように形状設定したが、これに限定されるものではなく、シール３をおまけとしてボトル容器に付帯させるには、シール３（シート体１）の形状及びサイズは種々に設定することができる。したがって、この場合においてシール３を貼着する被貼着体はキャップ１４に限定されず、消費者が独自に用意したものを被貼着体（判子の把持部）とすることもできる。
【００４５】
本実施形態において、ボトル容器にＰＥＴボトル１０を採用したが、これに限定されるものではなく、ボトル本体１２の口部１３にキャップ１４が着脱自在に取り付けられた金属製やガラス製のボトル容器や、その他の樹脂で形成されたボトル容器等であっても勿論よい。
【００４６】
【発明の効果】
以上のように、本発明にかかるシールは、請求項１記載の如く、シート体の一方の面に被貼着体に貼付可能な粘着層が形成されるとともに、他方の面に所定の図柄が印刷されてなり、該所定の図柄が隆起して判を形成しているので、判子を形成することができ、コストが重視される景品やおまけ等に相応しいものである。
【００４７】
また、本発明にかかるシールは、請求項２記載の如く、シート体の一方の面に被貼着体に貼付可能な粘着層が形成されるとともに、他方の面に所定の図柄が発泡可能なインキにより印刷されてなり、該インキを発泡させることで所定の図柄が判になるように構成されているので、判子を形成することができ、コストが重視される景品やおまけ等に相応しいものである。
【００４８】
また、本発明にかかるシール付きボトル容器によれば、請求項３記載の如く、請求項１又は２記載のシールを、ボトル本体の口部にキャップが着脱可能に取り付けられたボトル容器に対して付帯させた構成であるので、付帯させたシールは、被貼着体とともに判子を形成することができ、コストが重視される景品やおまけ等に相応しいものである。
【図面の簡単な説明】
【図１】本発明の第一実施形態にかかるシールの全体斜視図を示す。
【図２】第一実施形態にかかるシールを被貼着体に貼着し、判子を形成した状態の正面図を示す。
【図３】本発明の第二実施形態にかかるシール付きボトル容器の全体斜視図を示す。
【図４】第二実施形態にかかるシールの全体斜視図を示す。
【図５】第二実施形態にかかるシールをキャップに貼着して判子を形成するための説明図を示す。
【図６】第二実施形態にかかるシールとキャップとで形成した判子の使用状態の斜視図を示す。
【符号の説明】
１…シート体、２…粘着層、３…シール、４…剥離紙、５…図柄、６…判、７…被貼着体、１０…ＰＥＴボトル、１２…ボトル本体、１３…口部、１４…キャップ、１５…筒状部、１６…天部、１７…袋体、Ｐ…紙
【図１】
2004231204.tif 000003
【図２】
2004231204.tif 000004
【図３】
2004231204.tif 000005
【図４】
2004231204.tif 000006
【図５】
2004231204.tif 000007
【図６】
2004231204.tif 000008